【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、負の屈折力の第２レンズ群、少なくとも２つのレンズ群を含む後続レンズ群を有し、ズーミングに際して各レンズ群の間隔が変化するズームレンズにおいて、前記第１レンズ群は、２つの正レンズが接合された接合レンズを有し、前記接合レンズを構成する一方の正レンズの材料の屈折率をＮｄ１ｐ、アッベ数をνｄ１ｐ、部分分散比をθｇＦ１ｐ、前記一方の正レンズの空気中における焦点距離をｆ１ｐ、前記第１レンズ群の焦点距離をｆ１とするとき、
１．７０＜Ｎｄ１ｐ＜２．３０
０．７９０＜θｇＦ１ｐ−（１．０×１０−４×νｄ１ｐ２−９．１×１０−３×νｄ１ｐ）＜０．８６０
１０＜νｄ１ｐ＜３０
２．０＜ｆ１ｐ／ｆ１＜５．０
なる条件式を満足することを特徴とするズームレンズ。
【請求項２】
前記一方の正レンズの物体側の面の曲率半径をＲ１Ｆ、像側の面の曲率半径をＲ１Ｒとするとき、
１．０＜（Ｒ１Ｆ＋Ｒ１Ｒ）／（Ｒ１Ｒ−Ｒ１Ｆ）＜２０．０
なる条件式を満足することを特徴とする請求項１に記載のズームレンズ。
【請求項３】
前記一方の正レンズと接合されている他方の正レンズの物体側の面の曲率半径をＲ２Ｆ、像側の面の曲率半径をＲ２Ｒとするとき、
１．０＜（Ｒ２Ｆ＋Ｒ２Ｒ）／（Ｒ２Ｒ−Ｒ２Ｆ）＜１０．０
なる条件式を満足することを特徴とする請求項１又は２に記載のズームレンズ。
【請求項４】
望遠端における全系の焦点距離をｆＴとするとき、
０．３＜ｆ１／ｆＴ＜１．０
なる条件式を満足することを特徴とする請求項１乃至３のいずれか１項に記載のズームレンズ。
【請求項５】
前記第１レンズ群は、物体側から像側に順に、像側の面が凹でメニスカス形状の負レンズ、物体側の面が凸形状の正レンズ、物体側の面が凸でメニスカス形状の２つの正レンズを接合した接合レンズより構成されることを特徴とする請求項１乃至４のいずれか１項に記載のズームレンズ。
【請求項６】
前記後続レンズ群は、物体側から像側に順に、正の屈折力の第３レンズ群、正の屈折力の第４レンズ群で構成されることを特徴とする請求項１乃至５のいずれか１項に記載のズームレンズ。
【請求項７】
前記後続レンズ群は、物体側から像側に順に、正の屈折力の第３レンズ群、負の屈折力の第４レンズ群、正の屈折力の第５レンズ群で構成されることを特徴とする請求項１乃至５のいずれか１項に記載のズームレンズ。
【請求項８】
光電変換素子に像を形成することを特徴とする請求項１乃至７のいずれか１項に記載のズームレンズ。
【請求項９】
請求項１乃至８のいずれか１項に記載のズームレンズと、該ズームレンズによって形成される像を受光する光電変換素子とを備えることを特徴とする撮像装置。
【手続補正２】
【補正対象書類名】明細書
【補正対象項目名】０００９
【補正方法】変更
【補正の内容】
【０００９】
また物体側より順に、正、負、正、負、正の屈折力のレンズ群より成る５群構成のズームレンズにおいて第１レンズ群に異常分散性を有する材料より成るレンズを用いたズームレンズが知られている（特許文献２）。
【手続補正３】
【補正対象書類名】明細書
【補正対象項目名】００１０
【補正方法】変更
【補正の内容】
【００１０】
特許文献２では、第１レンズ群に、高分散でかつ異常分散性を有する光学材料を用いて望遠端の色収差を良好に補正している。
【手続補正４】
【補正対象書類名】明細書
【補正対象項目名】００１１
【補正方法】変更
【補正の内容】
【００１１】
特許文献２では、高分散でかつ異常分散性の非常に大きな光学材料を第１レンズ群に用いることで、第１レンズ群内の２次スペクトルを良好に補正し、全系の色収差をズーム全域で良好に補正している。このとき、前記光学材料で生じる１次の色収差は、第１レンズ群内の他の光学材料を適切な構成とすることで補正している。
【手続補正５】
【補正対象書類名】明細書
【補正対象項目名】００１２
【補正方法】変更
【補正の内容】
【００１２】
ここで、特許文献２で開示されている高分散でかつ異常分散性の大きい材料としては、紫外線硬化樹脂や有機ポリマーに無機ナノ微粒子を分散させた材料を用いている。また、耐環境性や成型難易度への配慮から、主に前記光学材料をガラスで封止した３枚レンズの接合レンズを用い、このとき全体の光学素子の厚みが厚くならないように配慮している。
【特許文献１】特開２００１−１９４５９０号公報
【特許文献２】特開２００６−３４９９４７号公報
【手続補正６】
【補正対象書類名】明細書
【補正対象項目名】００１８
【補正方法】変更
【補正の内容】
【００１８】
また、特許文献２に開示されている高分散でかつ大きな異常分散性をもつ光学材料の屈折率も従来のガラス材料と比較して低い。高分散かつ異常分散性が大きく高屈折率な材料を得るためには、ホストポリマーに分散させる無機微粒子の体積分率を大きくするのが良い。
【手続補正７】
【補正対象書類名】明細書
【補正対象項目名】００２５
【補正方法】変更
【補正の内容】
【００２５】
本発明のズームレンズは、物体側から像側へ順に、正の屈折力の第１レンズ群、負の屈折力の第２レンズ群、少なくとも２つのレンズ群を含む後続レンズ群を有し、ズーミングに際して各レンズ群の間隔が変化するズームレンズにおいて、前記第１レンズ群は、２つの正レンズが接合された接合レンズを有し、前記接合レンズを構成する一方の正レンズの材料の屈折率をＮｄ１ｐ、アッベ数をνｄ１ｐ、部分分散比をθｇＦ１ｐ、前記一方の正レンズの空気中における焦点距離をｆ１ｐ、前記第１レンズ群の焦点距離をｆ１とするとき、
１．７０＜Ｎｄ１ｐ＜２．３０
０．７９０＜θｇＦ１ｐ−（１．０×１０−４×νｄ１ｐ２−９．１×１０−３×νｄ１ｐ）＜０．８６０
１０＜νｄ１ｐ＜３０
２．０＜ｆ１ｐ／ｆ１＜５．０
なる条件式を満足することを特徴としている。
【手続補正８】
【補正対象書類名】明細書
【補正対象項目名】００５０
【補正方法】変更
【補正の内容】
【００５０】
接合レンズＬＧａを構成する一方の正レンズＮＬＧｐの材料の屈折率をＮｄ１ｐ、アッベ数をνｄ１ｐ、部分分散比をθｇＦ１ｐとする。又、一方の正レンズＮＬＧｐの空気中における焦点距離をｆ１ｐとする。第１レンズ群Ｌ１の焦点距離をｆ１とする。このとき、
１．７０＜Ｎｄ１ｐ＜２．３０ ・・・（１）
０．７９０＜θｇＦ１ｐ−（１．０×１０−４×νｄ１ｐ２−９．１×１０−３×νｄ１ｐ）＜０．８６０・・・（２）
１０＜νｄ１ｐ＜３０ ・・・（３）
２．０＜ｆ１ｐ／ｆ１＜５．０ ・・・（４）
なる条件式を満足している。
【手続補正９】
【補正対象書類名】明細書
【補正対象項目名】００６５
【補正方法】変更
【補正の内容】
【００６５】
１．７１＜Ｎｄ１ｐ＜２．２０ ・・・（１ａ）
０．７９３＜θｇＦ１ｐ−（１．０×１０−４×νｄ１ｐ２−９．１×１０−３×νｄ    １ｐ）＜０．８５０・・・（２ａ）
１３＜νｄ１ｐ＜３０ ・・・（３ａ）
各実施例において、更に好ましくは、条件式（１ａ）〜（３ａ）を以下の数値範囲とするとよい。
【手続補正１０】
【補正対象書類名】明細書
【補正対象項目名】００６６
【補正方法】変更
【補正の内容】
【００６６】
１．７２＜Ｎｄ１ｐ＜２．１０ ・・・（１ｂ）
０．７９６＜θｇＦ１ｐ−（１．０×１０−４×νｄ１ｐ２−９．１×１０−３×νｄ１ｐ）＜０．８４０・・・（２ｂ）
１６＜νｄ１ｐ＜３０ ・・・（３ｂ）
以上のように各実施例ではズームレンズを構成する第１レンズ群Ｌ１に、前述した条件式（１）〜（４）を満足する屈折率が高く異常分散性を有する材料よりなる正レンズＮＬＧｐを適切な屈折力で用いている。これにより、望遠端において色収差と球面収差、コマ収差等を良好に補正し、ズーム全域で良好な光学性能を得ている。